(57)【要約】      （修正有）【解決手段】洗浄すべき海苔網を搬送するための搬送用コンベヤ２の始端上方に、押えコンベヤ３を配置する。前記搬送用コンベヤ２の搬送路途中に、高圧洗浄水Ａを噴射させ得る洗浄室４を配置する。前記洗浄室４の天井部分と側壁部分に多数のノズル4a，4a、4b，4bを取り付ける。【効果】高圧洗浄ポンプを稼動させることにより、各ノズル4a，4a、4b，4bから高圧洗浄水Ａを噴射させることができる。洗浄すべき海苔網が搬送用コンベヤ２に載せられてこの洗浄室４内を通過する際、各ノズル4a，4a、4b，4bから海苔網に向って高圧洗浄水Ａを噴射することができ、汚れ物が付着している海苔網を自動的に洗浄して海苔網に付着している汚れ物を取り除くことができる。また、高圧洗浄水Ａは洗浄室４内で噴射せしめられるから、周囲に飛び跳ねることもない。【選択図】図１
0003131908.tif 000002
【実用新案登録請求の範囲】
【請求項１】
洗浄すべき海苔網を搬送するための搬送用コンベヤの始端上方に、押えコンベヤを配置するとともに、前記搬送用コンベヤの搬送路途中に、高圧洗浄水を噴射させ得る洗浄室を配置したことを特徴とする海苔網洗浄装置。
【請求項２】
高圧洗浄水は、洗浄室に取り付けた複数のノズルから噴射せしめられることを特徴とする請求項１記載の海苔網洗浄装置。
【請求項３】
搬送用コンベヤの始端に、投入用フードを配置したことを特徴とする請求項１記載の海苔網洗浄装置。
【請求項４】
搬送用コンベヤと押えコンベヤの搬送面には、前後左右に多数の突起物を備えていることを特徴とする請求項１記載の海苔網洗浄装置。
【請求項５】
押えコンベヤの始端側は跳ね上がるように設置されていることを特徴とする請求項１又は４記載の海苔網洗浄装置。
【請求項６】
搬送用コンベヤのローラ軸と押えコンベヤのローラ軸を上下方向、左右方向とも偏芯させ、搬送用コンベヤと押えコンベヤとで搬送すべき海苔網を上下から強く挟み込んで搬送することを特徴とする請求項１又は４記載の海苔網洗浄装置。
【請求項７】
搬送用のコンベヤの伸びを調整し得る伸び調整装置を備えていることを特徴とする請求項１、３、４、６のいずれかに記載の海苔網洗浄装置。
【考案の詳細な説明】
【技術分野】
【０００１】
本考案は、養殖海苔収穫期終了後の海苔網を陸上において洗浄するための装置に関するものである。
【背景技術】
【０００２】
養殖海苔収穫期終了後海上に設置している海苔網を撤去し、陸上において海苔網に付着している汚れ物を洗浄機で洗浄することが従来から行われている。この場合に用いられている洗浄機は家庭用洗濯機を大きくしたような槽状のものであって、渦巻式で海苔網と水とを周回させる形式のものである。
【考案の開示】
【考案が解決しようとする課題】
【０００３】
このような洗浄機で海苔網を洗浄した場合には、１枚当り約１２〜２０分を費やしており、短時間で洗浄が可能な装置の開発が強く望まれている。また、現状の洗浄機は渦巻式のため、作業中に手を巻き込まれる事故が多発しており、この点においても改善が強く望まれている。さらに、渦巻式で海苔網を高速で周回させるため、網への傷みも激しく、劣化が非常に早いという欠点もある。
【０００４】
本考案はこのような欠点を解消することを目的とするものであって、作業者に安全で優しく、軽労働で済み、洗浄時間を大幅に短縮できるとともに、網の傷みを最大限防ぐことができる装置を提供しようとするものである。
【課題を解決するための手段】
【０００５】
上記目的を達成するために、本考案では、洗浄すべき海苔網を搬送するための搬送用コンベヤの始端上方に押えコンベヤが配置されており、さらに、前記搬送用コンベヤの搬送路途中には高圧洗浄水を噴射させ得る洗浄室が配置されている。
本海苔網洗浄装置を用いれば、搬送用コンベヤとその始端上方に配置されている押えコンベヤとで海苔網を上下から挟み込んでそれを確実に前方へと搬送することができ、搬送途上の洗浄室内で噴射する高圧洗浄水により汚れ物を自動洗浄することができる。  また、本海苔網洗浄装置は渦巻式ではないから、作業者に安全で優しく、洗浄作業も軽労働で済み、洗浄時間を大幅に短縮できるとともに、網の傷みを最大限防ぐことができる。
【０００６】
高圧洗浄水は、洗浄室に取り付けた複数のノズルから噴射せしめられるようにするのがよい。このようになっていると、複数のノズルから海苔網に向って高圧洗浄水を噴射することができ、海苔網に付着している汚れ物を取り除くのに極めて有利である。また、高圧洗浄水は洗浄室内で噴射せしめられるから、周囲に飛び跳ねることもない。
【０００７】
搬送用コンベヤの始端に、投入用フードを配置しておくとよい。この場合には、洗浄すべき海苔網をできるだけ固まった状態で送り込むことができ、それを洗浄するのにより効果的である。
【０００８】
搬送用コンベヤと押えコンベヤの搬送面には、前後左右に多数の突起物を備えていることが望ましい。多数の突起物で搬送すべき海苔網を確実に引っ掛け、スムーズに搬送することができる。特に、海苔網の付着物が多く、汚れが激しくて網糸が太くなってしまっていて多数の突起物に引っ掛かりにくい場合でも、搬送用コンベヤの始端上方に押えコンベヤが配置されているので、この押えコンベヤにより海苔網を搬送用コンベヤ側に押し付けて確実に搬送することができる。
【０００９】
押えコンベヤの始端側は跳ね上がるように設置されていることが望ましい。このようになっていると、海苔網が固まってダンゴ状で搬送される場合があったとしても、押えコンベヤの始端側が自動的に跳ね上がり、海苔網を確実かつスムーズに搬送することができる。
【００１０】
搬送用コンベヤのローラ軸と押えコンベヤのローラ軸を上下方向、左右方向とも偏芯させ、搬送用コンベヤと押えコンベヤとで搬送すべき海苔網を上下から強く挟み込んで搬送するとよい。このようにすることにより、搬送すべき海苔網が搬送用コンベヤと押えコンベヤの突起物により一層食い込むから、搬送すべき海苔網を確実かつスムーズに搬送することができる。
【００１１】
搬送用コンベヤの伸びを調整し得る伸び調整装置を備えていることが望ましい。この伸び調整装置を用いることにより、搬送用コンベヤの伸びを容易に調整することができる。
【考案の効果】
【００１２】
請求項１記載の海苔網洗浄装置を用いた場合には、搬送用コンベヤとその始端上方に配置されている押えコンベヤとで海苔網を上下から挟み込んでそれを確実に前方へと搬送することができ、搬送途上の洗浄室内で噴射する高圧洗浄水により汚れ物を自動洗浄することができる。また、本海苔網洗浄装置は渦巻式ではないから、作業者に安全で優しく、洗浄作業も軽労働で済み、洗浄時間を大幅に短縮できるとともに、網の傷みを最大限防ぐことができる。
【００１３】
請求項２記載の海苔網洗浄装置を用いた場合には、複数のノズルから海苔網に向って高圧洗浄水を噴射することができ、海苔網に付着している汚れ物を取り除くのに極めて有利である。また、高圧洗浄水は洗浄室内で噴射せしめられるから、周囲に飛び跳ねることもない。
【００１４】
請求項３記載の海苔網洗浄装置を用いた場合には、洗浄すべき海苔網をできるだけ固まった状態で送り込むことができ、それを洗浄するのにより効果的である。
【００１５】
請求項４記載の海苔網洗浄装置を用いた場合には、多数の突起物で搬送すべき海苔網を確実に引っ掛け、スムーズに搬送することができる。特に、海苔網の付着物が多く、汚れが激しくて網糸が太くなってしまっていて多数の突起物に引っ掛かりにくい場合でも、搬送用コンベヤの始端上方に押えコンベヤが配置されているので、この押えコンベヤにより海苔網を搬送用コンベヤ側に押し付けて確実に搬送することができる。
【００１６】
請求項５記載の海苔網洗浄装置を用いた場合には、海苔網が固まってダンゴ状で搬送される場合があったとしても、押えコンベヤの始端側が自動的に跳ね上がり、海苔網を確実かつスムーズに搬送することができる。
【００１７】
請求項６記載の海苔網洗浄装置を用いた場合には、搬送すべき海苔網が搬送用コンベヤと押えコンベヤの突起物により一層食い込むから、搬送すべき海苔網を確実かつスムーズに搬送することができる。
【００１８】
請求項７記載の海苔網洗浄装置を用いた場合には、搬送用コンベヤの伸びを容易に調整することができる。
【考案を実施するための最良の形態】
【００１９】
本考案に係る海苔網洗浄装置の一例を、図面を参照しながら詳細に説明する。
ここに例示する海苔網洗浄装置にあっては、図１(a)、(b)に示すように、側面Ｕ字状の長尺状のフレーム１内に洗浄すべき海苔網を搬送するための無端状の搬送用コンベヤ２が前後方向に長く配置されており、その始端（図１(a)、(b)の左端）上方には無端状で比較的短い押えコンベヤ３が前記搬送用コンベヤ２に沿うように配置されている。そして、前記搬送用コンベヤ２の搬送路途中には高圧洗浄水Ａを噴射させ得る洗浄室４が配置されている。
【００２０】
搬送用コンベヤ２と押えコンベヤ３とは、減速機付きのギャードモータからなるモータＭにより図１(b)の矢印方向に走行するようにする。それには、以下に示すような伝動機構を採用するとよい。例えば、搬送用コンベヤ２の始端側（図１(b)の左側）のローラ2aと対になるようにローラ2bを配置し、このローラ2bの軸2b’に歯車2cを、押えコンベヤ３の終端側（図１(b)の右側）のローラ3aの軸3a’に歯車3cをそれぞれ取り付け、両歯車2c，3cを噛合させる。そして、前記ローラ2aの軸2a’にプーリ2dを、前記ローラ2bの軸2b’にプーリ2eをそれぞれ取り付け、両プーリ2d，2eに無端状のベルト５を渡し掛ける一方、前記ローラ3aの軸3a’にプーリ3dを、前記モータＭの軸Ｍ’にプーリｍをそれぞれ取り付け、両プーリ3d，ｍに無端状のベルト６を渡し掛ける。
【００２１】
このようにすると、モータＭの回転力が無端状のベルト６を介して押えコンベヤ３のローラ3aに、さらに、互いに噛み合っている歯車3cと歯車2c、および無端状のベルト５を介して搬送用のコンベヤ２のローラ2aに伝わり、搬送用コンベヤ２と押えコンベヤ３とを図１(b)の矢印方向に走行させることができる。この走行により、搬送用コンベヤ２の始端側においては、搬送用コンベヤ２と押えコンベヤ３とで洗浄すべき海苔網（図示しない）を上下から挟み込んでそれを確実に前方へ搬送することができ、押えコンベヤ３が無くなった後は搬送用コンベヤ２によってさらに前方へと搬送することができる。
【００２２】
図１(b)に示すように、押えコンベヤ３側のプーリ3dの外周面と搬送用のコンベヤ２側のプーリ2eの外周面とが互いに接触するように配設しておくと、プーリ3dとプーリ2eからベルト６とベルト５が外れることがない。
なお、前記歯車2c，3cをエムシーナイロン製とすれば、従来のナイロン樹脂に比べて機械的強度、耐久性に優れたものとなるのみならず、錆びることがない。また、前記フレーム１やプーリ2d，2e，3dをステンレス製にすれば、これらも錆びることがない。
【００２３】
前記洗浄室４は前記コンベヤの搬送路途中に設けられているトンネル状の室で、天井部分と側壁部分に多数のノズル4a，4a、4b，4bが取り付けられている。各ノズル4a，4a、4b，4bは高圧送水ホース（図示しない）を介して高圧洗浄ポンプ（図示しない）と接続されており、高圧洗浄ポンプを稼動させることにより各ノズル4a，4a、4b，4bから高圧洗浄水Ａを噴射させることができる。洗浄すべき海苔網（図示しない）が搬送用コンベヤ２に載せられてこの洗浄室４内を通過する際、各ノズル4a，4a、4b，4bから海苔網に向って高圧洗浄水Ａを噴射することができ、汚れ物が付着している海苔網を自動的に洗浄して海苔網に付着している汚れ物を取り除くことができる。また、高圧洗浄水Ａは洗浄室４内で噴射せしめられるから、周囲に飛び跳ねることもない。
【００２４】
本海苔網洗浄装置を用いることにより、養殖海苔従事者の労働時間を大幅に短縮することができる。図１(b)に示すように、フレーム１が前下がりとなるようにしておくと、高圧洗浄水Ａで洗浄されて海苔網から取り除かれた汚れ物は、搬送用コンベヤ２の出口側であるフレーム１の先端からまとまって自然に流れ落ちるので、直接もしくはホース（図示しない）を経由して回収ボックス（図示しない）に回収し得るようにすればよい。
なお、図示しないが、搬送用コンベヤ２の出口側であるフレーム１の先端にホース口を設けておけば、海苔網（図示しない）から取り除かれた汚れ物が再び海苔網に付着するのを洗い流すことができる。
【００２５】
多数のノズル4a，4a、4b，4bは洗浄室４内を通過する海苔網（図示しない）に対して最適な状態で洗浄し得るような角度でそれぞれ設置するとよい。また、海苔網の汚れが激しい場合でも完全に洗浄し得るように、特殊ノズルを数ヶ所設置するなど種々の変更が可能である。高圧洗浄ポンプ（図示しない）と高圧送水ホース（図示しない）との接続部分にカプラーを使用すれば、ワンタッチで着脱可能である。
【００２６】
ここに例示する海苔網洗浄装置にあっては、搬送用コンベヤ２の始端に投入用フード７が配置されている。ここに示す投入用フード７はエルボ上の筒体であって、投入口7aから洗浄すべき海苔網（図示しない）をできるだけ固まった状態で送り込むことができ、搬送用コンベヤ２の始端に送り出すことができる。
【００２７】
また、ここに例示する海苔網洗浄装置にあっては、図２(a)、(b)、(c)に示すように、搬送用コンベヤ２と押えコンベヤ３の搬送面に、前後左右に多数の突起物８，８を備えている。多数の突起物８，８で搬送すべき海苔網（図示しない）を確実に引っ掛け、スムーズに搬送することができる。特に、海苔網の付着物が多く、汚れが激しくて網糸が太くなってしまっていて多数の突起物８，８に引っ掛かりにくい場合でも、搬送用コンベヤ２の始端上方に押えコンベヤ３が配置されているので、この押えコンベヤ３により海苔網（図示しない）を搬送用コンベヤ２側に押し付けて確実に搬送することができる。
【００２８】
図２(c)に示すように、搬送用コンベヤ２と押えコンベヤ３のベルトを、心体層8aと表面層8bの二層からなるものとするとよい。そして、例えば、前記心体層8aをポリエステル製、表面層8bをポリ塩化ビニル製とすると、海苔網の傷みを極力押えることができる。なお、多数の突起物８，８は前記表面層8b側に形成する。
【００２９】
また、ここに例示する海苔網洗浄装置にあっては、押えコンベヤ３の始端側は跳ね上がるように設置されている。すなわち、押えコンベヤ３の始端側に位置するローラ3bが跳ね上がるように設置されている。前記ローラ3bがこのようになっていると、海苔網（図示しない）が固まってダンゴ状で搬送される場合があったとしても、押えコンベヤ２の始端側に位置するローラ3bが自動的に跳ね上がり、海苔網（図示しない）を確実かつスムーズに搬送することができる。
【００３０】
さらに、ここに例示する海苔網洗浄装置にあっては、図１(b)に示すように、搬送用コンベヤ２のローラ軸2b’と押えコンベヤ３のローラ軸3a’を上下方向、左右方向とも偏芯させ、搬送用コンベヤ２と押えコンベヤ３とで搬送すべき海苔網（図示しない）を上下から強く挟み込んで搬送するようにしてある。このようにすることにより、搬送すべき海苔網（図示しない）が搬送用コンベヤ２と押えコンベヤ３の突起物８，８により一層食い込むから、搬送すべき海苔網（図示しない）を確実かつスムーズに搬送することができる。
【００３１】
また、ここに例示する海苔網洗浄装置にあっては、搬送用コンベヤ２の伸びを調整し得る伸び調整装置９が備えられている。ここには、搬送用コンベヤ２の搬送方向に動かし得るネジ棒からなる場合が例示されており、その先端が搬送用コンベヤ２の始端側のローラ2aのメタルを押すことができるようになっている。この伸び調整装置９を用いることにより、搬送用コンベヤ２の伸びを容易に調整することができる。
【００３２】
図１(a)、(b)において、符号ｍ’はフレーム１に取り付けられた台で、その上にモータＭが載せられている。また、図１(b)において、符号1aはフレーム１の前後左右に取り付けた脚で、その長さを調節すれば作業者が最も作業しやすいようにフレーム１の高さを調節することができる。さらに、図１(b)において、符号１０はベルト５のテンションローラである。
なお、図示はしないが、フレーム１の上方は通常カバーで覆っておき、搬送用コンベヤ２の状態を確認したり、補修点検する際には開放し得るようにしておくのがよい。また、モータＭその他の回転部分や駆動部分についても全てカバーで覆っておき、作業者の安全を最優先できるようにしておくとよい。
【図面の簡単な説明】
【００３３】
【図１】本海苔網洗浄装置の一例を示す図で、(a)は平面図、(b)は一部切欠の正面図である。
【図２】本海苔網洗浄装置において用いられているコンベヤベルトの詳細図で、(a)はその一部を拡大して示す正面図、(b)は(a)の右側面図、(c)は(a)のＩ−Ｉ線断面図である。
【符号の説明】
【００３４】
１…フレーム、２…搬送用コンベヤ、2a，2b…ローラ、2a’，2b’…軸、2c…歯車、2d，2e…プーリ、３…押えコンベヤ、3a，3b…ローラ、3a’…軸、3c…歯車、４…洗浄室、4a，4b…ノズル、７…投入用フード、８…突起物、8a…心体層、8b…表面層、９…伸び調整装置、Ａ…高圧洗浄水、Ｍ…モータ、ｍ…プーリ。
【図１】
0003131908.tif 000003
【図２】
0003131908.tif 000004